(57)【要約】【課題】きめ細かな絞り込みによりユーザの好みに適う演奏曲を選択・抽出して自動演奏し得る音楽再生装置を提供する。【解決手段】演奏曲の性質を示す複数種類の属性情報をその演奏曲毎に記憶するハードディスク３４と、その複数種類の属性情報の何れかをそれぞれ指定するための複数の設定条件を入力するためのＢＧＭ曲条件入力手段７２（ＳＢ１〜ＳＢ７、ＳＢ９〜ＳＢ１２）と、そのＢＧＭ曲条件入力手段７２にて入力された複数の設定条件に対応する所定の属性情報を共有する演奏曲を多数の演奏曲から選択する演奏曲選択手段であるＢＧＭ曲選択手段７４（ＳＢ８、ＳＢ１３、ＳＢ２０）と、そのＢＧＭ曲選択手段７４にて選択された演奏曲を自動演奏する自動演奏手段７６（ＳＡ９）とを含むことから、比較的微妙な性質の差異に至るまでその選択の決定要素とすることができる。【選択図】  図１３
2004212588.tif 000002
【特許請求の範囲】
【請求項１】
多数の演奏曲から選択された所望の演奏曲を出力する形式の音楽再生装置であって、
該演奏曲の性質を示す複数種類の属性情報を該演奏曲毎に記憶する属性情報記憶装置と、
該複数種類の属性情報の何れかをそれぞれ指定するための複数の設定条件を入力するための設定条件入力手段と、
該設定条件入力手段にて入力された複数の設定条件に対応する所定の属性情報を共有する演奏曲を前記多数の演奏曲から選択する演奏曲選択手段と、
該演奏曲選択手段にて選択された演奏曲を自動演奏する自動演奏手段と
を、含むことを特徴とする音楽再生装置。
【請求項２】
多数の演奏曲から選択された所望の演奏曲を出力する形式の音楽再生装置であって、
該音楽再生装置が設置される店舗の性質を示す店舗情報を該演奏曲毎に記憶する店舗情報記憶装置と、
該店舗情報の何れかを指定するための設定条件を入力するための設定条件入力手段と、
該設定条件入力手段にて入力された設定条件に対応する所定の店舗情報を有する演奏曲を前記多数の演奏曲から選択する演奏曲選択手段と、
該演奏曲選択手段にて選択された演奏曲を自動演奏する自動演奏手段と
を、含むことを特徴とする音楽再生装置。
【請求項３】
多数の演奏曲から選択された所望の演奏曲を出力する形式の音楽再生装置であって、
該音楽再生装置を使用する顧客の性質を示す顧客情報を該演奏曲毎に記憶する顧客情報記憶装置と、
該顧客情報の何れかを指定するための設定条件を入力するための設定条件入力手段と、
該設定条件入力手段にて入力された設定条件に対応する所定の顧客情報を有する演奏曲を前記多数の演奏曲から選択する演奏曲選択手段と、
該演奏曲選択手段にて選択された演奏曲を自動演奏する自動演奏手段と
を、含むことを特徴とする音楽再生装置。
【請求項４】
多数の演奏曲から選択された所望の演奏曲を出力する形式の音楽再生装置であって、
該音楽再生装置により演奏された演奏曲の履歴と、該演奏曲を予約した顧客を識別するための情報とを記憶する演奏履歴記憶装置と、
該顧客を識別するための情報を入力するための設定条件入力手段と、
該設定条件入力手段にて入力された前記顧客を識別するための情報に基づいて前記演奏履歴記憶装置を検索し、該顧客を識別するための情報に対応する演奏曲の履歴に応じて演奏曲を選択する演奏曲選択手段と、
該演奏曲選択手段にて選択された演奏曲を自動演奏する自動演奏手段と
を、含むことを特徴とする音楽再生装置。
【請求項５】
前記演奏曲選択手段は、所定の属性情報を共有する複数の演奏曲をそれぞれ含む予め定められた複数群の演奏曲の中から、前記設定条件入力手段にて入力された複数の設定条件に対応する所定の属性情報を共有する一群の演奏曲を選択するものである請求項１から４の何れかの音楽再生装置。
【請求項６】
前記自動演奏手段は、前記音楽再生装置に演奏させる演奏曲の予約が未入力である場合に背景音楽曲として所定の演奏曲の音楽情報を自動出力するものである請求項１から５の何れかの音楽再生装置。
【発明の詳細な説明】
【０００１】
【発明の属する技術分野】
本発明は、例えば、カラオケボックスで使用されるカラオケ装置等の音楽再生装置に関し、特に、ユーザの好みに適うＢＧＭ曲を選択・抽出するための技術に関する。
【０００２】
【従来の技術】
予め定められた複数の演奏曲から選択された所望の演奏曲の音楽情報を出力できる音楽再生装置が知られている。例えば、カラオケボックス等で使用されるカラオケ装置がそれである。斯かるカラオケ装置によれば、予め記憶装置に記憶された多数のカラオケ演奏曲から選択された所望のカラオケ演奏曲の音楽情報を出力させると共に、そのカラオケ演奏曲の歌詞をその出力に同期して画面に表示させることができ、所望の歌をカラオケ演奏曲の伴奏を伴った状態で楽しむことができる。
【０００３】
ところで、上記カラオケ装置の使用に際して、歌いたい演奏曲が見つからない、しばらく咽を休めたい、或いは間食をとりたい等の理由でカラオケ演奏が滞ることがある。通常、斯かる場合には、所定のカラオケ演奏曲の音楽情報が出力されると共に新譜案内等の情報画面が表示されるＢＧＭモードが実行され、次のカラオケ演奏曲が選曲されてそのカラオケ演奏が開始されるまで継続される。従来、このＢＧＭモードに供されるＢＧＭ曲は、選曲ヒットランキング上位のカラオケ演奏曲の音楽情報、或いは人的な作業により選択されたお薦めのカラオケ演奏曲の音楽情報といったものであった。
【０００４】
上述のようにして選択されるＢＧＭ曲は必然的にありふれたものとなるため、ユーザにとってＢＧＭモードにおけるＢＧＭ曲はあくまで時間繋ぎとしてしか認知されていなかった。また、流行の波が激しい音楽シーンにおいては、常に新しい演奏曲をＢＧＭ曲として選択すべきであるが、その作業は煩雑であり、従来の技術では月毎の更新が限界であった。そこで、多数の演奏曲の中からユーザの好みに適うＢＧＭ曲を自動演奏に供するための技術が提案されている（例えば、特許文献１を参照）。斯かるカラオケ装置に配信されるカラオケ演奏曲は、それぞれ邦楽、洋楽、及びアニメソング等のジャンル別に分類されており、例えば、予め所定のジャンルが選択されることで、そのジャンルのカラオケ演奏曲のみが選択・抽出されてＢＧＭ曲として記憶装置に記憶され、ＢＧＭモードに際して自動演奏される。
【０００５】
【特許文献１】
特開平１０−１３３６７４号公報
【０００６】
【発明が解決しようとする課題】
しかし、一般的なカラオケ装置に配信されるカラオケ演奏曲は１万曲にものぼる膨大なものであることから、前述のようなカラオケ装置ではきめ細かな絞り込みを行うことができず、結果としてユーザの好みに適うＢＧＭ曲を選択・抽出することはできなかった。よって、依然としてＢＧＭモードの利用価値は低いものとされ、ほとんど顧みられていないのが現状である。
【０００７】
本発明は、以上の事情を背景として為されたものであり、その目的とするところは、きめ細かな絞り込みによりユーザの好みに適う演奏曲を選択・抽出して自動演奏し得る音楽再生装置を提供することにある。
【０００８】
【課題を解決するための第１の手段】
斯かる目的を達成するために、本第１発明の要旨とするところは、多数の演奏曲から選択された所望の演奏曲を出力する形式の音楽再生装置であって、その演奏曲の性質を示す複数種類の属性情報をその演奏曲毎に記憶する属性情報記憶装置と、その複数種類の属性情報の何れかをそれぞれ指定するための複数の設定条件を入力するための設定条件入力手段と、その設定条件入力手段にて入力された複数の設定条件に対応する所定の属性情報を共有する演奏曲を前記多数の演奏曲から選択する演奏曲選択手段と、その演奏曲選択手段にて選択された演奏曲を自動演奏する自動演奏手段とを含むことを特徴とするものである。
【０００９】
【発明の効果】
このようにすれば、前記演奏曲の性質を示す複数種類の属性情報をその演奏曲毎に記憶する属性情報記憶装置と、その複数種類の属性情報の何れかをそれぞれ指定するための複数の設定条件を入力するための設定条件入力手段と、その設定条件入力手段にて入力された複数の設定条件に対応する所定の属性情報を共有する演奏曲を前記多数の演奏曲から選択する演奏曲選択手段と、その演奏曲選択手段にて選択された演奏曲を自動演奏する自動演奏手段とを含むことから、比較的微妙な性質の差異に至るまでその選択の決定要素とすることができる。すなわち、きめ細かな絞り込みによりユーザの好みに適う演奏曲を選択・抽出して自動演奏し得る音楽再生装置を提供することができる。
【００１０】
【課題を解決するための第２の手段】
また、前記目的を達成するために、本第２発明の要旨とするところは、多数の演奏曲から選択された所望の演奏曲を出力する形式の音楽再生装置であって、その音楽再生装置が設置される店舗の性質を示す店舗情報をその演奏曲毎に記憶する店舗情報記憶装置と、その店舗情報の何れかを指定するための設定条件を入力するための設定条件入力手段と、その設定条件入力手段にて入力された設定条件に対応する所定の店舗情報を有する演奏曲を前記多数の演奏曲から選択する演奏曲選択手段と、その演奏曲選択手段にて選択された演奏曲を自動演奏する自動演奏手段とを含むことを特徴とするものである。
【００１１】
【第２発明の効果】
このようにすれば、前記音楽再生装置が設置される店舗の性質を示す店舗情報をその演奏曲毎に記憶する店舗情報記憶装置と、その店舗情報の何れかを指定するための設定条件を入力するための設定条件入力手段と、その設定条件入力手段にて入力された設定条件に対応する所定の店舗情報を有する演奏曲を前記多数の演奏曲から選択する演奏曲選択手段と、その演奏曲選択手段にて選択された演奏曲を自動演奏する自動演奏手段とを含むことから、前記音楽再生装置が設置される店舗に関する比較的微妙な性質の差異に至るまでその選択の決定要素とすることができる。すなわち、きめ細かな絞り込みによりユーザの好みに適う演奏曲を選択・抽出して自動演奏し得る音楽再生装置を提供することができる。
【００１２】
【課題を解決するための第３の手段】
また、前記目的を達成するために、本第３発明の要旨とするところは、多数の演奏曲から選択された所望の演奏曲を出力する形式の音楽再生装置であって、その音楽再生装置を使用する顧客の性質を示す顧客情報をその演奏曲毎に記憶する顧客情報記憶装置と、その顧客情報の何れかを指定するための設定条件を入力するための設定条件入力手段と、その設定条件入力手段にて入力された設定条件に対応する所定の顧客情報を有する演奏曲を前記多数の演奏曲から選択する演奏曲選択手段と、その演奏曲選択手段にて選択された演奏曲を自動演奏する自動演奏手段とを含むことを特徴とするものである。
【００１３】
【第３発明の効果】
このようにすれば、前記音楽再生装置を使用する顧客の性質を示す顧客情報をその演奏曲毎に記憶する顧客情報記憶装置と、その顧客情報の何れかを指定するための設定条件を入力するための設定条件入力手段と、その設定条件入力手段にて入力された設定条件に対応する所定の顧客情報を有する演奏曲を前記多数の演奏曲から選択する演奏曲選択手段と、その演奏曲選択手段にて選択された演奏曲を自動演奏する自動演奏手段とを含むことから、前記音楽再生装置を使用する顧客すなわちユーザに関する比較的微妙な性質の差異に至るまでその選択の決定要素とすることができる。すなわち、きめ細かな絞り込みによりユーザの好みに適う演奏曲を選択・抽出して自動演奏し得る音楽再生装置を提供することができる。
【００１４】
【課題を解決するための第４の手段】
また、前記目的を達成するために、本第４発明の要旨とするところは、多数の演奏曲から選択された所望の演奏曲を出力する形式の音楽再生装置であって、その音楽再生装置により演奏された演奏曲の履歴と、その演奏曲を予約した顧客を識別するための情報とを記憶する演奏履歴記憶装置と、その顧客を識別するための情報を入力するための設定条件入力手段と、その設定条件入力手段にて入力された前記顧客を識別するための情報に基づいて前記演奏履歴記憶装置を検索し、その顧客を識別するための情報に対応する演奏曲の履歴に応じて演奏曲を選択する演奏曲選択手段と、その演奏曲選択手段にて選択された演奏曲を自動演奏する自動演奏手段とを含むことを特徴とするものである。
【００１５】
【第４発明の効果】
このようにすれば、前記音楽再生装置により演奏された演奏曲の履歴と、その演奏曲を予約した顧客を識別するための情報とを記憶する演奏履歴記憶装置と、その顧客を識別するための情報を入力するための設定条件入力手段と、その設定条件入力手段にて入力された前記顧客を識別するための情報に基づいて前記演奏履歴記憶装置を検索し、その顧客を識別するための情報に対応する演奏曲の履歴に応じて演奏曲を選択する演奏曲選択手段と、その演奏曲選択手段にて選択された演奏曲を自動演奏する自動演奏手段とを含むことから、前記音楽再生装置を使用する顧客すなわちユーザが過去に選曲した演奏曲の履歴を決定要素とすることができる。すなわち、きめ細かな絞り込みによりユーザの好みに適う演奏曲を選択・抽出して自動演奏し得る音楽再生装置を提供することができる。
【００１６】
【第１乃至第４発明の他の態様】
ここで、好適には、前記演奏曲選択手段は、所定の属性情報を共有する複数の演奏曲をそれぞれ含む予め定められた複数群の演奏曲の中から、前記設定条件入力手段にて入力された複数の設定条件に対応する所定の属性情報を共有する一群の演奏曲を選択するものである。このようにすれば、実用に適した態様でユーザの好みに適う一群の演奏曲を選択・抽出することができるという利点がある。
【００１７】
また、好適には、前記自動演奏手段は、前記音楽再生装置に演奏させる演奏曲の予約が未入力である場合に背景音楽曲として所定の演奏曲の音楽情報を自動出力するものである。このようにすれば、例えばカラオケ装置のＢＧＭモード等においてユーザの好みに適うＢＧＭ曲を自動出力できるという利点がある。
【００１８】
【実施例】
以下、本発明の好適な実施例を図面に基づいて詳細に説明する。
【００１９】
図１は、本発明が適用された音楽再生装置の一例であるカラオケ装置１０の構成を示すブロック線図である。この図１に示すように、斯かるカラオケ装置１０は、ＣＲＴ等の画像表示装置１２と、背景映像再生用のディスクプレーヤ１４と、ビデオミキサ１６と、アンプミキサ１８と、スピーカ２０と、マイク２２と、操作パネル２４と、中央演算処理装置であるＣＰＵ２８、ＲＯＭ３０、ＲＡＭ３２、記憶装置であるハードディスク３４、ターミナルアダプタ３６、ＣＲＴコントローラ３８、上記操作パネル２４からの入力信号を処理する入出力インターフェイス４０、音楽情報を合成して出力するためのシンセサイザ４２、及びＭＰＥＧデコーダ（Ｄ／Ａコンバータ）４４とを備えて構成されている。
【００２０】
上記中央演算処理装置２８は、上記ＲＯＭ３０に記憶された所定のプログラムに基づいて電子情報を処理・制御する所謂コンピュータであり、ユーザ（利用者）により所定のカラオケ演奏曲が選曲された場合、上記ハードディスク３４からＲＡＭ３２に選曲されたカラオケ演奏曲の音楽情報及び歌詞情報を読み出したり、カラオケ演奏曲の演奏が進行するのに応じてそのＲＡＭ３２から上記シンセサイザ４２やＭＰＥＧデコーダ４４へ音楽情報を送信したり、上記ＣＲＴコントローラ３８へ歌詞情報に基づいて歌詞文字映像を生成して送ったり、選曲時には曲情報に基づいて曲名文字映像をＣＲＴコントローラ３８へ送ったり、上記ディスクプレーヤ１４の制御をする等の基本的な制御を実行する。
【００２１】
前記操作パネル２４は、ユーザが歌いたいカラオケ演奏曲を選択したり、演奏音の音程を調整したり、演奏と歌との音量バランスを調整したり、顧客を識別するために顧客毎に設定された顧客ＩＤを入力したり、その他、エコー、音量、トーン等の各種調整を行うための操作ボタン或いはツマミを備えた入力装置である。また、前記カラオケ装置１０には、前記操作パネル２４の一部機能を遠隔で実行するために、かかる操作パネル２４と同様に入力装置として機能するリモコン４６が備えられている。
【００２２】
前記ディスクプレーヤ１４は、背景映像を記憶したＣＤやＤＶＤを再生することができ、前記ビデオミキサ１６は、前記ハードディスク３４から読み出された歌詞情報に基づいて前記中央演算処理装置２８において生成され且つ前記ＣＲＴコントローラ３８から出力される歌詞文字映像と、前記ディスクプレーヤ１４から送られるＮＴＳＣ映像とを合成して前記画像表示装置１２に表示させる映像合成装置である。前記ディスクプレーヤー１４から送られるＮＴＳＣ映像は、ユーザが歌詞を参照しながら歌を歌う際に前記画像表示装置１２に表示される背景映像である。
【００２３】
前記シンセサイザ４２及びＭＰＥＧデコーダ４４は、前記ハードディスク３４から読み出されて送られて来る演奏曲の音楽情報に基づき、楽器の演奏信号等の音楽信号を生成する音源である。生成された音楽信号は、アナログ信号に変換されて前記アンプミキサ１８に送られる。そのアンプミキサ１８では、送られてきた音楽信号と前記マイク２２を介して入力されるユーザの歌声とがミキシングされ、それらの信号が電気的に増幅される。そして、そのミキシングされた音が前記スピーカ２０から出力される。
【００２４】
図２は、前記リモコン４６の操作部を説明する図である。この図に示すように、斯かるリモコン４６の操作部には、０から９までの１０個の数字釦４６ａ、選曲釦４６ｂ、左右上下の矢印釦４６ｃ、取消釦４６ｄ、及びモード設定釦４６ｅが設けられている。また、操作補助・確認のための表示部４６ｆが設けられている。上記数字釦４６ａは、選曲番号や顧客ＩＤを入力するための釦（スイッチ）であり、その数字釦４６ａが押されると、その数字が上記表示部４６ｆに表示され、上記選曲釦４６ｂが押されることによりその選曲番号や顧客ＩＤが出力されて選曲番号や顧客ＩＤが確定する。左右上下の矢印釦４６ｃは、前記画像表示器１２に選択肢が表示された際、同様に表示されるカーソル等を左右上下に移動させるための釦であり、その矢印釦４６ｃが操作されると、カーソル移動信号が出力されて上記選曲釦４６ｂが押されることにより選択している項目が確定する。また、前記カラオケ装置１０によるカラオケ演奏中に左右の矢印釦４６ｃが操作されると、演奏音の音程を変更するための音程変更信号が出力される。また、上記モード設定釦４６ｅは、カラオケ演奏に付随する各種のモード設定を実行するための釦であり、そのモード設定釦４６ｅが押されると、ＢＧＭモードの設定画面をはじめとする各種モード設定画面が表示される。また、図１に示すように、これらの釦及び表示部に対応する構成が前記操作パネル２４にも設けられており、その操作パネル２４によっても同様の操作が可能とされている。
【００２５】
図３は、前記ハードディスク３４に設けられた各種データベースを説明する図である。この図３に示すように、前記ハードディスク３４には、カラオケ演奏曲の音楽情報、歌詞情報、及び曲名情報等を格納する曲情報データベース４８、最も新しく配信されたカラオケ演奏曲の紹介情報等を格納する新譜情報データベース５４、ユーザ（カラオケ装置１０の利用者）を識別するための情報としての顧客ＩＤを顧客の氏名、住所、連絡先等と共に格納する顧客ＩＤデータベース５６、その顧客ＩＤ毎の演奏履歴を格納する演奏履歴データベース５８、及び後述するＢＧＭ曲設定制御に供される設定情報やその設定情報等に基づいて選択されるＢＧＭ曲のリストを格納する設定情報データベース６０等が備えられている。ここで、上記曲情報データベース４８の音楽情報は、例えばＭＰ３（ＭＰＥＧ−１  ＡｕｄｉｏＬａｙｅｒ−ＩＩＩ）規格に基づいた形式やＭＩＤＩ（Ｍｕｓｉｃａｌ  Ｉｎｓｔｒｕｍｅｎｔ  Ｄｉｇｉｔａｌ  Ｉｎｔｅｒｆａｃｅ）形式で格納され、ＭＰ３データ形式の音楽情報は前記ＭＰＥＧデコーダ４４へ、ＭＩＤＩ形式の音楽情報は前記シンセサイザ４２へそれぞれ供給される。また、上記曲情報に付随する形式で、曲の性質を示す複数種類の属性情報がそれぞれのカラオケ演奏曲に付与されており、上記曲情報データベース４８は、その属性情報を格納する属性情報データベース５０を含んで構成されている。すなわち、前記ハードディスク３４は、それぞれのカラオケ演奏曲の性質を示す複数種類の属性情報をそのカラオケ演奏曲毎に記憶する属性情報記憶装置、及び前記カラオケ装置１０により演奏された演奏曲の履歴と、その演奏曲を予約した顧客を識別するための情報とを記憶する演奏履歴記憶装置として機能する。
【００２６】
図４は、ホストサーバ６２から複数台のカラオケ装置１０へ各種データが配信される様子を説明する図である。前記カラオケ装置１０に備えられたターミナルアダプタ３６は、前記中央演算処理装置２８を公衆電話回線、有線放送用ケーブル、又は光ファイバ等による広域通信網（インターネット）７０に接続するための装置であり、カラオケボックス６４、カラオケ喫茶６６、カラオケパブ６８等にそれぞれ備えられた前記カラオケ装置１０は、斯かる広域通信網７０を介してホストサーバ６２に接続されている。そして前記カラオケ装置１０によって常に新しい曲を演奏可能とするために、随時、新曲の曲情報等が上記ホストサーバ６２から斯かる広域通信網７０及びターミナルアダプタ３６等を介してダウンロードされ、前記ハードディスク３４の各種データベースに格納される。
【００２７】
図５〜１０は、前記ハードディスク３４に備えられた属性情報データベース５０の内容を説明する図である。斯かる属性情報データベース５０には、前記曲情報データベース４８に格納されたカラオケ演奏曲の性質を示す複数種類の属性情報がその選曲番号毎に記憶されている。その属性情報は、歌手名、作詞者、作曲者、テンポ、キー、曲調、歌詞の内容（場所、時間帯、季節、シチュエーション、頻出単語等）、ジャンル、対象年齢、発表年代等の種類毎に分類されており、図５に示すように、例えば属性Ａ〜属性Ｚの２６項目に分類され、それぞれの項目が更に区分されて内容が定められている。前記広域通信網７０を介して前記曲情報データベース４８に新しい演奏曲が格納される際には、その新曲に対応する属性情報が付随して配信され、前記属性情報データベース５０に格納される。
【００２８】
図６に示す属性Ａは、歌詞の内容や曲の雰囲気に関し、特に、その歌詞の内容や曲の雰囲気から想像される場所に関する属性情報であり、Ａ−１「海」、Ａ−２「雪山」、Ａ−３「都市」、・・・、Ａ−３０「車中」、Ａ−３１「部屋」、Ａ−３２「仮想空間」に区分されている。図７に示す属性Ｂは、曲のジャンルに関する属性情報であり、Ｂ−１「邦楽（ポップス）」、Ｂ−２「邦楽（ロック）」、Ｂ−３「邦楽（ラップ）」、・・・、Ｂ−１９「洋楽（レゲエ）」、Ｂ−２０「アニメソング」、Ｂ−２１「軍歌」に区分されている。図８に示す属性Ｃは、歌詞の内容に関し、特に、その歌詞の内容から想像される時間帯に関する属性情報であり、Ｃ−１「深夜」、Ｃ−２「明け方」、Ｃ−３「朝（６〜８時）」、・・・、Ｃ−３０「夜（１８〜２０時）」、Ｃ−３１「夜（２０〜２２時）」、Ｃ−３２「夜（２２〜２４時）」に区分されている。図９に示す属性Ｈは、曲の対象年齢に関する属性情報であり、Ｈ−１「５歳以下」、Ｈ−２「５〜１０歳」、Ｈ−３「１０〜１５歳」、・・・、Ｈ−１５「７０〜７５歳」、Ｈ−１６「７５〜８０歳」、Ｈ−１７「８０歳以上」に区分されている。図１０に示す属性Ｚは、曲の内容に関し、特に、シチュエーションに関する属性情報であり、Ｚ−１「恋愛（片思い）」、Ｚ−２「恋愛（相愛）」、Ｚ−３「恋愛（別れ）」、・・・、Ｚ−２３「喜び（誕生）」、Ｚ−２４「喜び（結婚）」、Ｚ−２５「喜び（勝利）」に区分されている。このように、前記曲情報データベース４８に格納されたすべてのカラオケ演奏曲について、属性Ａ〜Ｚの各項目がその区分の何れかひとつに定められることで、それぞれのカラオケ演奏曲の性質が一元的に記号化されている。
【００２９】
図１１は、前記中央演算処理装置２８のＢＧＭ曲設定制御機能の要部を説明する機能ブロック線図である。この図１１に示すＢＧＭ曲条件入力手段７２は、設定条件入力手段に対応するものであり、前記属性情報に関連する所定の設定条件や顧客を識別するための情報（ここでは顧客ＩＤ）を入力するための入力制御を行う。すなわち、前記設定情報データベース６０から前記ＲＡＭ３２に所定の設定情報を読み出し、その設定情報に対応するＢＧＭ曲設定メニュー映像を前記ＣＲＴコントローラ３８及びビデオミキサ１６を介して前記画像表示装置１２に表示させると共に、前記操作パネル２４又はリモコン４６からの入力信号を処理する。そして、前記画像表示装置１２に表示された操作手順に従い、前記操作パネル２４又はリモコン４６により所定の選択が行われたりブランクが埋められたりすることで、前記ＲＡＭ３２に読み出された設定情報に基づいてカラオケ装置１０が設置された店舗特有の設定条件や、その店舗を利用する顧客特有の設定条件、或いは顧客を識別するための情報等が設定される。
【００３０】
ＢＧＭ曲選択手段７４は、演奏曲選択手段に対応するものであり、前記属性情報及びＢＧＭ曲条件入力手段７２にて入力された設定条件に基づいて前記多数のカラオケ演奏曲から一群のカラオケ演奏曲を選択する。好適には、所定の属性情報を共有する複数のカラオケ演奏曲をそれぞれ含む予め定められた複数群のカラオケ演奏曲の中から、上記ＢＧＭ曲条件入力手段７２にて入力された設定条件に応じて、その設定条件に関連する属性情報を共有する一群のカラオケ演奏曲を選択する。すなわち、複数の属性情報の組み合わせにそれぞれ対応する複数群のカラオケ演奏曲が予め定義されており、上記ＢＧＭ曲条件入力手段７２にて入力された設定条件に基づいてその複数の属性情報の組み合わせのうちその設定条件を満たす何れか一つの組み合わせを選択し、その組み合わせに対応する一群のカラオケ演奏曲の選曲情報としての選曲番号をＢＧＭ曲として前記ハードディスク３４に記憶する。或いは、上記ＢＧＭ曲条件入力手段７２にて入力された顧客を識別するための情報に基づいて前記演奏履情報データベース５８を検索し、その顧客を識別するための情報に対応する演奏履歴に応じたカラオケ演奏曲の選曲情報としての選曲番号をＢＧＭ曲として前記ハードディスク３４に記憶する。
【００３１】
自動演奏手段７６は、上記ＢＧＭ曲選択手段７４にて選択された一群のカラオケ演奏曲から更に無作為に選択された所定のカラオケ演奏曲を自動演奏する。すなわち、上記ＢＧＭ曲選択手段７４にて選択された一群のカラオケ演奏曲の音楽情報（ＭＰ３データ−ＭＩＤＩデータ）を前記曲情報データベース４８から前記ＲＡＭ３２に読み出し、読み出されたそれら一群のカラオケ演奏曲の音楽情報を前記シンセサイザ４２或いはＭＰＥＧデコーダ４４、及びミキサアンプ１８を介して背景音楽曲としてアト・ランダムに、若しくは選曲番号順等の所定の順番で出力させる。この背景音楽曲すなわちＢＧＭ（Ｂａｃｋ  Ｇｒｏｕｎｄ  Ｍｕｓｉｃ）曲とは、何らかの背景としての音楽曲という意味には限られず、専ら目的を有せずある種の雰囲気として流される音楽曲の総称である。好適には、前記カラオケ装置１０に演奏させるカラオケ演奏曲の予約が未入力である場合等に実行されるＢＧＭモードにおいて上記所定のカラオケ演奏曲の音楽情報を自動出力するものである。
【００３２】
図１２は、前記中央演算処理装置２８のカラオケ演奏制御作動や、ＢＧＭ曲演奏制御作動を説明するフローチャート、図１３は、ＢＧＭ曲設定制御作動を説明するフローチャートであり、所定の周期で繰り返し実行されるものである。以下、これら図１２及び図１３を用いて前記中央演算処理装置２８の制御作動を説明する。
【００３３】
先ず、図１２に示すステップ（以下、ステップを省略する）ＳＡ１において、前記操作パネル２４又はリモコン４６により所定のカラオケ演奏曲の選曲番号及び顧客ＩＤが押されたうえで選曲釦が押されたか否かが判断される。なお、顧客ＩＤは、顧客ＩＤを記憶した磁気カードやＩＣカード等を利用して、カード読み取り装置を介して入力するようにしてもよい。このＳＡ１の判断が肯定される場合には、ＳＡ２において、入力された選曲番号が前記ＲＡＭ３２に予約曲として顧客ＩＤと共に記憶された後、ＳＡ３において、カラオケ演奏中であるか否かが判断される。一方、ＳＡ１の判断が否定される場合には、ＳＡ６において、カラオケ演奏が終了したか否かが判断される。
【００３４】
その時点においてカラオケ演奏が行われている最中で、ＳＡ３の判断が肯定される場合には、それをもって本ルーチンが終了させられるが、ＳＡ３の判断が否定される場合には、ＳＡ４において、所定の新譜情報の表示及びＢＧＭ曲の自動演奏すなわち前述したＢＧＭモードの実行が中止された後、ＳＡ５において、前記カラオケ装置１０に入力され、前記ＲＡＭ３２に記憶された予約曲の演奏処理が実行されて本ルーチンが終了させられる。すなわち、ＳＡ５において、前記ＲＡＭ３２に記憶された選曲番号に対応する音楽情報や歌詞情報がそのＲＡＭ３２に読み出され、それらに基づいてカラオケ演奏曲の演奏やテロップの表示が行われる。
【００３５】
その時点においてカラオケ演奏が終了して、ＳＡ６の判断が肯定される場合には、ＳＡ７において、演奏されている曲情報（ここでは選曲番号）、顧客ＩＤ、及び演奏された年月日が演奏履歴として前記ハードディスク３４の演奏履歴データベース５８に記憶された後、ＳＡ８において、予約曲があるか否かすなわち前記カラオケ装置１０に演奏させるカラオケ演奏曲の選曲番号が前記ＲＡＭ３２に記憶されているか否かが判断される。一方、ＳＡ６の判断が否定される場合には、ＳＡ１０において、前記ターミナルアダプタ３６を介して曲情報又は新譜情報等が転送中であるか否かが判断される。
【００３６】
ＳＡ８の判断が肯定される場合すなわち演奏が終了したときに既に次の曲が予約されている場合には、前述したＳＡ５において、前記カラオケ装置１０に入力されている次の予約曲の演奏処理が実行されて本ルーチンが終了させられるが、ＳＡ８の判断が否定される場合すなわち演奏が終了したときに前記ＲＡＭ３２に予約曲が記憶されていない場合には、ＳＡ１３において、モード設定釦が押されたか否かが判断される。このＳＡ１３の判断が肯定される場合には、ＳＡ１４において、ＢＧＭ曲設定モードか否かが更に判断される。このＳＡ１４の判断が肯定される場合には、図１３に示すＢＧＭ曲設定サブルーチンが実行された後、ＳＡ９において、所定の新譜情報の表示及びＢＧＭ曲の自動演奏すなわち前述したＢＧＭモードが実行されて本ルーチンが終了させられるが、ＳＡ１３及びＳＡ１４の少なくとも一方の判断が否定された場合には、ＳＡ９が実行されて本ルーチンが終了させられる。このＳＡ９が前記自動演奏手段７６に対応する。
【００３７】
ＳＡ１０の判断が肯定される場合には、ＳＡ１１において、前記ターミナルアダプタ３６を介して転送されてきた曲情報又は新譜情報等が前記ハードディスク３４に記憶されて本ルーチンが終了させられるが、ＳＡ１０の判断が否定される場合には、ＳＡ１２において、カラオケ演奏中であるか否かが判断される。
【００３８】
ＳＡ１２の判断が肯定される場合すなわちカラオケ演奏中の場合には、それをもって本ルーチンが終了させられるが、ＳＡ１２の判断が否定され且つＳＡ１３の判断が肯定される場合、すなわちカラオケ演奏中ではなく且つ前記リモコン４６のモード設定釦４６ｅ或いは操作パネル２４のモード設定釦が操作された場合には、ＳＡ１４において、ＢＧＭ曲設定モードであるか否かが判断される。このＳＡ１４の判断が否定される場合には、ＳＡ９が実行されて本ルーチンが終了させられるが、ＳＡ１４の判断が肯定される場合には、図１３に示すＢＧＭ曲設定制御サブルーチンが実行された後、ＳＡ９が実行されて本ルーチンが終了させられる。
【００３９】
ＢＧＭ曲設定制御サブルーチンでは、前記ハードディスク３４の設定情報データベース６０に記憶された設定情報に基づいて、先ず、図１３に示すＳＢ１において、前記画像表示装置１２に図１４（ａ）に示す第１メニュー画面が表示された後、ＳＢ２において、斯かる第１メニュー画面に表示された「１．店舗による条件設定」及び「２．顧客による条件設定」の何れかの肢が選択される設定条件入力処理が実行される。具体的には、「１．」の肢が選択されたか否かが判断される。ここで、「店舗による条件設定」とは、専ら前記カラオケ装置１０を備えた前記カラオケボックス６４、カラオケ喫茶６６、カラオケパブ６８等のショップ（店舗）やそのショップを利用する顧客の性質に基づいて行う設定であり、「顧客による条件設定」とは、専ら前記カラオケ装置１０を使用するユーザ（利用者）に基づいて行う設定である。この設定操作は、前記カラオケ装置１０が設置された店舗のオーナ或いは従業者等によって行われる。なお、ＳＢ２、ＳＢ４等の選択では、前記操作パネル２４又はリモコン４６の矢印釦が押されることによりカーソルが移動させられて選曲釦が押されることにより決定される。また、図１４（ａ）〜（ｆ）の何れかのメニュー画面が表示されている際すなわちＳＢ２、後述するＳＢ４、ＳＢ６、ＳＢ１１、ＳＢ１５、及びＳＢ１７において、前記前記操作パネル２４又はリモコン４６の取消釦が押されると、それをもって本ルーチンが中止すなわち終了させられる。
【００４０】
「１．」の肢が選択されてＳＢ２の判断が肯定される場合には、ＳＢ３において、前記画像表示装置１２に図１４（ｂ）に示す第２メニュー画面が表示された後、ＳＢ４において、斯かる第２メニュー画面に表示された「１．店舗情報に基づく条件設定」、「２．顧客情報に基づく条件設定」、及び「３．店舗情報・顧客情報に基づく条件設定」のうちの何れか１つの肢が選択される設定条件入力処理が実行される。具体的には、「１．」又は「３．」の肢が選択されたか否かが判断される。ここで、「店舗情報に基づく条件設定」とは、店舗の性質としての店舗の種類、営業時間帯、利用目的、及び立地条件等の専ら店舗に関する属性情報すなわち店舗情報に対応する設定条件である店舗条件を入力する設定であり、「顧客情報に基づく条件設定」とは、顧客の性質としての顧客層、及び顧客の年齢層等の専らその店舗を利用する顧客に関する属性情報すなわちその店舗を利用する顧客情報に対応する設定条件である顧客条件を入力する設定である。一方、ＳＢ２の判断が否定される場合には、ＳＢ１４において、前記画像表示装置１２に図１４（ｄ）に示す第４メニュー画面が表示された後、ＳＢ１５において、斯かる第４メニュー画面の表示に従い店舗を利用するユーザの「顧客ＩＤ」が入力される入力処理が実行される。すなわち、前記ハードディスク３４は、店舗情報記憶装置及び顧客情報記憶装置としても機能する。なお、ＳＢ１５における「顧客ＩＤ」の入力は、現実に店舗に来ている顧客の顧客ＩＤであってもよいし、その日に来客が予想される顧客の顧客ＩＤ等であっても構わない。
【００４１】
ＳＢ４の判断が肯定される場合には、ＳＢ５において、前記画像表示装置１２に店舗条件設定メニューすなわち図１４（ｃ）に示す第３メニュー画面が表示された後、ＳＢ６において、斯かる第３メニュー画面に表示された「店舗の種類」、「店舗の営業時間帯」、及び「店舗の立地条件」それぞれについて何れかの項目が選択される設定条件入力処理が実行され、前記操作パネル２４又はリモコン４６の選曲釦が押されることによりそれらの設定条件すなわち店舗の性質に基づいた設定条件が定められる。なお、店舗条件は、この３種類の条件のうち、１つの条件について設定されるようにしてもよいし、この他の条件が設定されるようにしても当然に構わない。その後、ＳＢ７において、図１４（ｂ）に示す第２メニュー画面にて「３．」が選択されていたか否かが判断される。このＳＢ７の判断が肯定される場合には、ＳＢ９において、ＳＢ３〜ＳＢ６にて設定された店舗条件が前記ＲＡＭ３２に記憶された後、後述するＳＢ１０以降のステップが実行されるが、ＳＢ７の判断が否定される場合には、ＳＢ８において、ＳＢ３〜ＳＢ６にて設定された店舗の性質に基づく設定条件に該当する一群のカラオケ演奏曲が検索され、その一群のカラオケ演奏曲の選曲番号がＢＧＭ曲として前記ハードディスク３４の設定情報データベース６０に記憶されて本ルーチンが終了させられる。このＳＢ８及び後述するＳＢ１３が前記ＢＧＭ曲選択手段７４に、ＳＢ１〜ＳＢ７及びＳＢ９〜ＳＢ１２が前記ＢＧＭ曲条件入力手段７２にそれぞれ対応する。
【００４２】
ＳＢ８の検索では、ＳＢ３〜ＳＢ６にて設定された店舗の性質に基づいた設定条件と前記属性情報データベース５０に格納されたカラオケ演奏曲の属性情報とが比較される。すなわち、図１４（ｃ）に示す第３メニュー画面にて選択された「店舗の種類」と図７に示す曲のジャンルに関する属性情報である属性Ｂ等とが、「店舗の営業時間帯」と図８に示す曲の歌詞の内容から想像される時間帯に関する属性情報である属性Ｃ等とが、「店舗の立地条件」と図６に示す曲の歌詞の内容から想像される場所に関する属性情報である属性Ａ等とがそれぞれ比較され、各設定条件を満たす属性情報を有するカラオケ演奏曲の選曲番号がＢＧＭ曲として前記ハードディスク３４に記憶される。また、別の検索方法として、前記設定情報データベース６０において、例えば図１８に示すように、それら複数の属性情報の組み合わせにそれぞれ対応する複数群のカラオケ演奏曲が予め定義されており、ＳＢ３〜ＳＢ６にて設定された設定条件である店舗条件によりその複数の属性情報の組み合わせのうち何れか一つの組み合わせが選択され、その組み合わせに対応する一群のカラオケ演奏曲の選曲番号がＢＧＭ曲として前記ハードディスク３４に記憶されるようにしてもよい。すなわち、前記属性Ａ〜属性Ｚの属性情報のうち、属性Ａ、属性Ｂ、及び属性Ｃ等が店舗の性質を示す店舗情報に対応する。
【００４３】
一方、ＳＢ４の判断が否定される場合及びＳＢ７の判断が肯定される場合には、ＳＢ１０において、前記画像表示装置１２に顧客条件設定用メニューすなわち図１４（ｆ）に示す第５メニュー画面が表示されてそれぞれの入力処理が実行される。すなわち、図１４（ｆ）に示す第５メニュー画面に表示された「顧客層」及び「年代層」それぞれについて何れかの項目が選択される入力処理が実行された後、ＳＢ１１において、前記操作パネル２４又はリモコン４６の選曲釦が押されることによりそれらの設定条件すなわち顧客の性質に基づく設定条件が定められる。なお、顧客条件は、この２種類の条件のうち何れか一方のみであってもよいし、この他の条件が設定されるようにしても当然に構わない。続くＳＢ１２において、図１４（ｂ）に示す第２メニュー画面にて「３．」が選択されていたか否かが判断される。このＳＢ１２の判断が否定される場合には、ＳＢ２０において、ＳＢ１０〜ＳＢ１１にて設定された顧客の性質に基づく設定条件つまり顧客条件に該当する一群のカラオケ演奏曲が検索され、その一群のカラオケ演奏曲の選曲番号がＢＧＭ曲として前記ハードディスク３４に記憶されるが、ＳＢ１２の判断が肯定される場合には、ＳＢ１３において、ＳＢ３〜ＳＢ６にて設定された店舗の性質に基づく設定条件に該当し、且つＳＢ１０、ＳＢ１１にて設定された顧客の性質に基づく設定条件に該当する一群のカラオケ演奏曲が検索され、その一群のカラオケ演奏曲の選曲番号がＢＧＭ曲として前記ハードディスク３４に記憶されて本ルーチンが終了させられる。
【００４４】
ＳＢ１３の検索においては、ＳＢ３〜ＳＢ６にて設定された店舗条件及びＳＢ１０、ＳＢ１１にて設定された顧客条件と前記属性情報データベース５０に格納されたカラオケ演奏曲の属性情報とが比較される。すなわち、図１４（ｃ）に示す店舗条件に関して前述したＳＢ８と同様の比較が実行されると共に、図１４（ｆ）に示す第５メニュー画面にて選択された「顧客層」と図１０に示す曲の歌詞の内容から想像されるシチュエーションに関する属性情報である属性Ｚ等とが、「年齢層」と図９に示す曲の対象年齢に関する属性情報である属性Ｈ等とがそれぞれ比較される。前述したＳＢ８と同様に、ＳＢ３〜ＳＢ６にて設定された設定条件である店舗条件及びＳＢ１０、ＳＢ１１にて設定された設定条件である顧客条件を満たす属性情報を有するカラオケ演奏曲の選曲番号がＢＧＭ曲として前記ハードディスク３４に記憶される。すなわち、前記属性Ａ〜属性Ｚの属性情報のうち、属性Ｈ及び属性Ｚ等が顧客の性質を示す顧客情報に対応する。また、ＳＢ２０の検索においては、ＳＢ１０及びＳＢ１１にて設定された顧客条件と、前記属性情報データベース５０に格納されたカラオケ演奏曲の属性情報とが比較される。すなわち、図４（ｆ）に示す顧客条件に関して、「顧客層」と属性Ｚ等とが、「年齢層」と属性Ｈ等とがそれぞれ比較され、それぞれの顧客条件を満たす属性情報を有するカラオケ演奏曲の選曲番号がＢＧＭ曲として前記ハードディスク３４に記憶される。なお、ＳＢ１３及びＳＢ２０の検索において、ＳＢ８と同様に、設定情報データベース６０を用いてＢＧＭ曲を選択するようにしてもよい。
【００４５】
また、前述のＳＢ１５において、図１４（ｄ）に示す第４メニュー画面の表示に従いユーザの「顧客ＩＤ」の入力処理が実行された後、ＳＢ１６において、入力された「顧客ＩＤ」が前記ＲＡＭ３２に記憶されると共に、図１４（ｅ）に示す第５メニュー画面の表示に従い「演奏期間」の入力処理が実行され、ＳＢ１７において、前記操作パネル２４又はリモコン４６の選曲釦が押されることによりそれらの入力情報が定められる。そして、ＳＢ１８において、ＳＢ１４〜ＳＢ１７にて設定された「顧客ＩＤ」及び「演奏期間」に該当する一群のカラオケ演奏曲が前記演奏履歴データベース５８より検索され、その一群のカラオケ演奏曲の選曲番号がＢＧＭ曲として前記ハードディスク３４に記憶に記憶されて本ルーチンが終了させられる。なお、ＳＢ１８の検索において、演奏履歴データベース５８から「顧客ＩＤ」及び「演奏期間」に該当するカラオケ演奏曲を選択し、そのカラオケ演奏曲と共に、そのカラオケ演奏曲と同じ属性情報を有する履歴に記憶されていないカラオケ演奏曲をもＢＧＭ曲として選択するようにしてもよい。
【００４６】
このように、本実施例によれば、前記演奏曲の性質を示す複数種類の属性情報をその演奏曲毎に記憶する属性情報記憶装置である前記ハードディスク３４と、その複数種類の属性情報の何れかをそれぞれ指定するための複数の設定条件を入力するための設定条件入力手段であるＢＧＭ曲条件入力手段７２（ＳＢ１〜ＳＢ７、ＳＢ９〜ＳＢ１２）と、そのＢＧＭ曲条件入力手段７２にて入力された複数の設定条件に対応する所定の属性情報を共有する一群の演奏曲を前記多数の演奏曲から選択する演奏曲選択手段であるＢＧＭ曲選択手段７４（ＳＢ８、ＳＢ１３、ＳＢ２０）と、そのＢＧＭ曲選択手段７４にて選択された一群の演奏曲から選択された所定の演奏曲を自動演奏する自動演奏手段７６（ＳＡ９）とを含むことから、比較的微妙な性質の差異に至るまでその選択の決定要素とすることができる。すなわち、きめ細かな絞り込みによりユーザの好みに適う演奏曲を選択・抽出して自動演奏し得る音楽再生装置を提供することができる。
【００４７】
また、前記ＢＧＭ曲選択手段７４は、所定の属性情報を共有する複数の演奏曲をそれぞれ含む予め定められた複数群の演奏曲の中から、前記ＢＧＭ曲条件入力手段７２にて入力された複数の設定条件に対応する所定の属性情報を共有する一群の演奏曲を選択するようにすれば、実用に適した態様で前記一群の演奏曲を選択・抽出することができるという利点がある。
【００４８】
また、前記複数種類の属性情報は、前記音楽再生装置の設置される店舗の性質を示す複数種類の店舗情報すなわち属性Ａ、属性Ｂ、及び属性Ｃ等を含むものであり、前記複数の設定条件は、少なくとも前記複数種類の店舗情報の何れかをそれぞれ指定するものであるため、前記音楽再生装置の設置される店舗の雰囲気に合った演奏曲を選択・抽出することができるという利点がある。
【００４９】
また、好適には、前記複数種類の属性情報は、前記音楽再生装置を使用する顧客（ユーザ）の性質を示す複数種類の顧客情報すなわち属性Ｈ及び属性Ｚ等を含むものであり、前記複数の設定条件は、少なくとも前記複数種類の顧客情報の何れかをそれぞれ指定するものであるため、前記音楽再生装置を使用するユーザの客層に合った演奏曲を選択・抽出することができるという利点がある。
【００５０】
また、演奏を終了した演奏曲の情報と、その演奏曲を予約した顧客を識別するための情報とを記憶させると共に、設定条件入力手段により設定された顧客を識別するための情報に基づいて演奏曲を指定するものであることから、ユーザに合った演奏曲を選択・抽出することができるという利点がある。
【００５１】
また、前記音楽再生装置は、多数のカラオケ演奏曲から選択された所望のカラオケ演奏曲の音楽情報を出力させると共に、そのカラオケ演奏曲の歌詞をその出力に同期して前記画像表示装置１２に表示させる形式のカラオケ装置１０であるため、きめ細かな絞り込みによりユーザの好みに適うカラオケ演奏曲を選択・抽出して自動演奏し得るカラオケ装置１０を提供することができるという利点がある。
【００５２】
また、前記自動演奏手段７６は、前記カラオケ装置１０に演奏させるカラオケ演奏曲の予約が未入力である場合に背景音楽曲すなわちＢＧＭ曲として所定のカラオケ演奏曲の音楽情報を自動出力するものであるため、前記カラオケ装置１０のＢＧＭモードにおいてユーザの好みに適うＢＧＭ曲を自動出力できるという利点がある。
【００５３】
また、前記設定情報データベース６０に格納された設定情報は、前記ホストサーバ６２から前記ターミナルアダプタ３６等を介して新しい設定情報が配信されることで更新が可能であるため、流行に即した設定情報によりユーザの好みに適うＢＧＭ曲を選択・抽出することができるという利点がある。
【００５４】
次に、本発明の他の好適な実施例を図面に基づいて詳細に説明する。なお、前述の実施例と重複する部分に関しては、同一の符号を付してその説明を省略する。
【００５５】
図１６は、専ら前記カラオケ装置１０を使用するユーザ（利用者）側の操作による前記中央演算処理装置２８のＢＧＭ曲設定制御作動を説明するフローチャートであり、前記操作パネル２４又はリモコン４６により送信された所定のＢＧＭ曲設定開始信号が受信される度に繰り返し実行されるものである。以下、この図１６を用いて前記中央演算処理装置２８の制御作動を説明する。
【００５６】
このＢＧＭ曲設定制御ルーチンでは、先ず、ＳＣ１において、前記画像表示装置１２に図１７（ａ）に示す第１レベルメニュー画面が表示され、ＳＣ２において、その第１レベルメニュー画面の「１．邦楽」が選択されたか否か、ＳＣ３において、「２．洋楽」が選択されたか否か、ＳＣ４において、「３．アニメソング」が選択されたか否がそれぞれ判断される。このＳＣ２の判断が肯定される場合すなわち「１．」が選択されたと判断される場合には、ＳＣ５において、前記画像表示装置１２に図１７（ｂ）に示す第２レベルメニュー画面が表示されて後述するＳＣ６以降の［邦楽ルート処理］が実行されるが、ＳＣ２の判断が否定され且つＳＣ３の判断が肯定された場合すなわち「２．」が選択されたと判断される場合には、［１］において、所定の「洋楽ルート処理」が実行され、ＳＣ３の判断が否定され且つＳＣ４の判断が肯定された場合すなわち「３．」が選択されたと判断される場合には、［２］において、所定の「アニメソングルート処理」が実行され、ＳＣ４の判断が否定された場合すなわち「４．」が選択されたと判断される場合には、［３］において、所定の「その他ルート処理」が実行される。
【００５７】
ＳＣ２にて「１．邦楽」が選択された「邦楽ルート処理」では、先ず、ＳＣ５において、前記画像表示装置１２に図１７（ｂ）に示す第２レベルメニュー画面が表示され、ＳＣ６において、その第２レベルメニュー画面の「１．ポップス」が選択されたか否か、ＳＣ７において、「２．ロックンロール」が選択されたか否か、ＳＣ８において、「３．ヒップホップ」が選択されたか否がそれぞれ判断される。このＳＣ６の判断が肯定される場合すなわち「１．」が選択されたと判断される場合には、ＳＣ９において、前記画像表示装置１２に図１７（ｃ）に示す第３レベルメニュー画面が表示されて後述するＳＣ１０以降の［邦楽／ポップスルート処理］が実行されるが、ＳＣ６の判断が否定され且つＳＣ７の判断が肯定された場合すなわち「２．」が選択されたと判断される場合には、［４］において、所定の「邦楽／ロックンロールルート処理」が実行され、ＳＣ７の判断が否定され且つＳＣ８の判断が肯定された場合すなわち「３．」が選択されたと判断される場合には、［５］において、所定の「邦楽／ヒップホップルート処理」が実行され、ＳＣ８の判断が否定された場合すなわち「４．」が選択されたと判断される場合には、［６］において、所定の「邦楽／その他ルート処理」が実行される。
【００５８】
ＳＣ６にて「１．ポップス」が選択された「邦楽／ポップスルート処理」では、先ず、ＳＣ９において、前記画像表示装置１２に図１７（ｃ）に示す第３レベルメニュー画面が表示され、ＳＣ１０において、その第３レベルメニュー画面の「１．ラブソング」が選択されたか否か、ＳＣ１１において、「２．アバンギャルド」が選択されたか否か、ＳＣ１２において、「３．レトロ」が選択されたか否がそれぞれ判断される。このＳＣ１０の判断が肯定される場合すなわち「１．」が選択されたと判断される場合には、ＳＣ１３において、前記画像表示装置１２に図１７（ｄ）に示す第４レベルメニュー画面が表示されて後述するＳＣ１４以降の［邦楽／ポップス／ラブソングルート処理］が実行されるが、ＳＣ１０の判断が否定され且つＳＣ１１の判断が肯定された場合すなわち「２．」が選択されたと判断される場合には、［７］において、所定の「邦楽／ポップス／アバンギャルドルート処理」が実行され、ＳＣ１１の判断が否定され且つＳＣ１２の判断が肯定された場合すなわち「３．」が選択されたと判断される場合には、［８］において、所定の「邦楽／ポップス／レトロルート処理」が実行され、ＳＣ１２の判断が否定された場合すなわち「４．」が選択されたと判断される場合には、［９］において、所定の「邦楽／ポップス／その他ルート処理」が実行される。
【００５９】
ＳＣ１０にて「１．ラブソング」が選択された「邦楽／ポップス／ラブソングルート処理」では、先ず、ＳＣ１３において、前記画像表示装置１２に図１７（ｄ）に示す第４レベルメニュー画面が表示され、ＳＣ１４において、その第４レベルメニュー画面の「１．ラブラブ熱愛系」が選択されたか否か、ＳＣ１５において、「２．しんみり片思い系」が選択されたか否かがそれぞれ判断される。このＳＣ１４の判断が肯定される場合すなわち「１．」が選択されたと判断される場合には、ＳＣ１６において図１８に示すグループ「００１」のカラオケ演奏曲の選曲番号がＢＧＭ曲として前記ハードディスク３４に記憶され、ＳＣ１４の判断が否定され且つＳＣ１５の判断が肯定された場合すなわち「２．」が選択されたと判断される場合には、ＳＣ１７において図１８に示すグループ「００２」のカラオケ演奏曲の選曲番号がＢＧＭ曲として前記ハードディスク３４に記憶され、ＳＣ１５の判断が否定された場合すなわち「３．」が選択されたと判断される場合には、ＳＣ１８において図１８に示すグループ「００３」のカラオケ演奏曲の選曲番号がＢＧＭ曲として前記ハードディスク３４に記憶されて本ルーチンが終了させられる。以上のＢＧＭ曲設定制御においては、ＳＣ２〜ＳＣ４、ＳＣ６〜ＳＣ８、ＳＣ１０〜ＳＣ１２、ＳＣ１４、ＳＣ１５が前記ＢＧＭ曲条件入力手段７２に、ＳＣ１６、ＳＣ１７、ＳＣ１８が前記ＢＧＭ曲選択手段７４にそれぞれ対応する。
【００６０】
図１８において、グループ「００１」に属する選曲番号「００３４５」、「００３８９」、・・・、「９８７１０」のカラオケ演奏曲は、「邦楽／ポップス／ラブソング／ラブラブ熱愛系」の性質を有する曲の一群であり、グループ「００２」に属する選曲番号「０００２５」、「０１９９１」、・・・、「８４１０３」のカラオケ演奏曲は、「邦楽／ポップス／ラブソング／しんみり片思い系」の性質を有する曲の一群であり、グループ「００３」に属する選曲番号「０１６７９」、「０１７００」、・・・、「９９８９５」のカラオケ演奏曲は、「邦楽／ポップス／ラブソング／涙の失恋系」の性質を有する曲の一群である。このように、前記設定情報データベース６０では、曲の有する性質によって２００グループが定義されており、第１〜４レベルメニュー画面の指示に従って選択された設定条件すなわち都合４回の分岐の結果に応じて、何れかのグループが選択されてＢＧＭ曲とされる。
【００６１】
このように、本実施例において、前記ＢＧＭ曲選択手段７４（ＳＣ１６、ＳＣ１７、ＳＣ１８）は、所定の属性情報を共有する複数のカラオケ演奏曲をそれぞれ含む予め定められた複数グループのカラオケ演奏曲の中から、前記ＢＧＭ曲条件入力手段７２（ＳＣ２〜ＳＣ４、ＳＣ６〜ＳＣ８、ＳＣ１０〜ＳＣ１２、ＳＣ１４、ＳＣ１５）にて選択された分岐の結果に応じて、何れか１グループのカラオケ演奏曲を選択するものであるため、バリエーションに富んだ例えば２００グループにものぼるカラオケ演奏曲の中から、比較的簡単な操作によりユーザの好みに適う１グループのカラオケ演奏曲をＢＧＭ曲として選択・抽出することができるという利点がある。なお、本実施例において、第１〜第４レベルメニュー画面の指示に従って選択された設定条件を満たす属性情報を有するカラオケ演奏曲をＢＧＭ曲として直接選択・抽出することもできる。
【００６２】
以上、本発明の好適な実施例を図面に基づいて詳細に説明したが、本発明はこれに限定されるものではなく、更に別の態様においても実施される。
【００６３】
例えば、前述の実施例において、前記ＢＧＭ曲条件入力手段７２は、予め定められた選択肢のうち何れかの肢を選ぶことにより設定条件を入力する形式のものであったが、本発明はこれに限定されるものではなく、例えば、前記操作パネル２４又はリモコン４６の数字釦により曲の発表年代を入力させるもの等であってもよい。また、文字入力が可能なキーボード等を備えた音楽再生装置においては、キーワードを入力させてそれに適合するＢＧＭ曲を検索する形式をとるものであっても構わない。
【００６４】
また、前述の実施例では、前記画像表示装置１２に図１４又は図１７に示すような複数のメニュー画面が順次出力され、そのメニュー画面に従い設定条件を入力する形式であったが、予め定められてカタログ等にその詳細が記載された複数グループのカラオケ演奏曲の中から選択された所望の１グループの番号が入力されることによりＢＧＭ曲の絞り込み選択が行われるものであっても構わない。
【００６５】
また、前述の実施例では、前記属性情報データベース５０が曲情報データベース４８に内包される形式すなわち属性情報が曲情報の付属情報の形式で設けられていたが、例えば、前記属性情報データベース５０と曲情報データベース４８とがそれぞれ別個に設けられ、属性情報が曲情報から分離された形式で格納されるものであっても構わない。
【００６６】
また、前述の実施例では、多数のカラオケ演奏曲から選択された所望のカラオケ演奏曲の音楽情報を出力させる等の演奏制御を実行するカラオケ装置１０について説明したが、本発明の音楽再生装置は、必ずしもカラオケ装置には限られず、例えば、店舗内にＢＧＭ曲を連続的に流すためのステレオ装置や、前記ホストサーバ６２から演奏曲をダウンロードして演奏する形式の携帯式音楽再生装置、或いは音楽再生機能を備えた一般的なパーソナルコンピュータ等に適用されても構わない。
【００６７】
また、前述の実施例では特に説明していないが、所定の演奏曲が前記設定情報データベース６０に定義された複数のグループに重複して属するものであっても当然に構わない。また、前記曲情報データベース４８に格納されたすべての演奏曲が前記設定情報データベース６０によって分類されていなくともよく、何れのグループにも属さない演奏曲があっても構わない。
【００６８】
その他一々例示はしないが、本発明はその趣旨を逸脱しない範囲内において、種々の変更が加えられて実施されるものである。
【図面の簡単な説明】
【図１】本発明が適用された音楽再生装置の一例であるカラオケ装置の構成を示すブロック線図である。
【図２】図１のカラオケ装置に備えられたリモコンの操作部を説明する図である。
【図３】図１のカラオケ装置に備えられたハードディスクに設けられた各種データベースを説明する図である。
【図４】ホストサーバから複数台のカラオケ装置へ各種データが配信される様子を説明する図である。
【図５】図１のカラオケ装置に内蔵されているハードディスクに備えられた属性情報データベースの一例を説明する図である。
【図６】図５の属性情報データベースに格納された属性Ａの内容を説明する図である。
【図７】図５の属性情報データベースに格納された属性Ｂの内容を説明する図である。
【図８】図５の属性情報データベースに格納された属性Ｃの内容を説明する図である。
【図９】図５の属性情報データベースに格納された属性Ｈの内容を説明する図である。
【図１０】図５の属性情報データベースに格納された属性Ｚの内容を説明する図である。
【図１１】図１のカラオケ装置に備えられた中央演算処理装置のＢＧＭ曲設定制御機能の要部を説明する機能ブロック線図である。
【図１２】図１１の中央演算処理装置によるカラオケ演奏制御動作やＢＧＭ曲演奏制御作動を説明するフローチャートである。
【図１３】図１１の中央演算処理装置によるＢＧＭ曲設定制御作動を説明するフローチャートである。
【図１４】図１３のＢＧＭ曲設定制御に際して画像表示装置に順次出力されるメニュー画面を説明する図である。
【図１５】図１のカラオケ装置に内蔵されているハードディスクに備えられた演奏履歴データベースの一例を説明する図である。
【図１６】図１１の電子情報処理装置によるＢＧＭ曲設定制御作動の他の一例を説明するフローチャートである。
【図１７】図１６のＢＧＭ曲設定制御に際して画像表示装置に順次出力されるメニュー画面を説明する図である。
【図１８】図１のカラオケ装置に内蔵されているハードディスクに備えられた設定情報データベースの一例を説明する図である。
【符号の説明】
１０：カラオケ装置（音楽再生装置）
３４：ハードディスク（属性情報記憶装置）
７２：ＢＧＭ曲条件入力手段（設定条件入力手段）
７４：ＢＧＭ曲選択手段（演奏曲選択手段）
７６：自動演奏手段
【図１】
2004212588.tif 000003
【図２】
2004212588.tif 000004
【図３】
2004212588.tif 000005
【図４】
2004212588.tif 000006
【図５】
2004212588.tif 000007
【図６】
2004212588.tif 000008
【図７】
2004212588.tif 000009
【図８】
2004212588.tif 000010
【図９】
2004212588.tif 000011
【図１０】
2004212588.tif 000012
【図１１】
2004212588.tif 000013
【図１２】
2004212588.tif 000014
【図１３】
2004212588.tif 000015
【図１４】
2004212588.tif 000016
【図１５】
2004212588.tif 000017
【図１６】
2004212588.tif 000018
【図１７】
2004212588.tif 000019
【図１８】
2004212588.tif 000020